(57)【要約】【課題】本発明は、掃除機本体を自立させる際に床面を汚すことを防止できる電気掃除機を提供することを目的とする。【解決手段】本発明に係る電気掃除機は、掃除機本体１と、掃除機本体１に対して着脱可能な集塵ユニット２と、を備え、掃除機本体１は、ケース部３と、ケース部３の下端よりも下方に延び、端部に吸込口７が形成された吸込管５と、を有し、集塵ユニット２は、掃除機本体１に取り付けられた状態でケース部３よりも下方に位置し、掃除機本体１は、ケース部３の天面６を下向きにした状態で天面６を載置面に載置して自立可能なものである。【選択図】図５
2016137132.tif 000002
【特許請求の範囲】
【請求項１】
掃除機本体と、
前記掃除機本体に対して着脱可能な集塵ユニットと、
を備え、
前記掃除機本体は、
ケース部と、
前記ケース部の下端よりも下方に延び、端部に吸込口が形成された吸込管と、
を有し、
前記集塵ユニットは、前記掃除機本体に取り付けられた状態で前記ケース部よりも下方に位置し、
前記掃除機本体は、前記ケース部の天面を下向きにした状態で前記天面を載置面に載置して自立可能である電気掃除機。
【請求項２】
前記掃除機本体の重心は、前記ケース部の長手方向における中心よりも前記天面側の位置にある請求項１に記載の電気掃除機。
【請求項３】
前記掃除機本体は、
前記ケース部の内部に設けられた電動送風機と、
前記ケース部の内部に設けられ、前記電動送風機よりも重量が大きい電池と、
を有し、
前記電池は、前記電動送風機と前記天面との間に配置され、
前記電池の重心は、前記ケース部の長手方向における中心よりも前記天面側の位置にある請求項１又は２に記載の電気掃除機。
【請求項４】
前記掃除機本体の重心は、前記天面を下向きにして前記掃除機本体を自立させた状態において、前記天面の形状を鉛直方向に投影した領域の内側に位置する請求項１から３のいずれか１項に記載の電気掃除機。
【請求項５】
前記掃除機本体は、前記ケース部の側面に設けられた把持部を有する請求項１から４のいずれか１項に記載の電気掃除機。
【請求項６】
前記天面は、平面状に形成された請求項１から５のいずれか１項に記載の電気掃除機。
【請求項７】
前記天面は、凹部を有し、
前記掃除機本体の荷重は、前記天面を下向きにして前記掃除機本体を自立させた状態において、前記凹部の縁部により支持される請求項１から５のいずれか１項に記載の電気掃除機。
【請求項８】
前記天面は、凸部を有し、
前記掃除機本体の荷重は、前記天面を下向きにして前記掃除機本体を自立させた状態において、前記凸部により支持される請求項１から５のいずれか１項に記載の電気掃除機。
【発明の詳細な説明】
【技術分野】
【０００１】
本発明は、電気掃除機に関するものである。
【背景技術】
【０００２】
下記特許文献１には、直立した状態で自立可能な掃除機本体を備えた電気掃除機が記載されている。
【先行技術文献】
【特許文献】
【０００３】
【特許文献１】特開２０１３−１１８９５９号公報
【発明の概要】
【発明が解決しようとする課題】
【０００４】
特許文献１に記載の掃除機本体は、自立させる際に吸込具が床面に接触する。このため、特許文献１に記載の電気掃除機では、掃除機本体を自立させる際に、吸込具に付着した塵埃等で床面が汚れることがある。
【０００５】
本発明は、上記の課題を解決するためになされた。その目的は、掃除機本体を自立させる際に床面を汚すことを防止できる電気掃除機を提供することである。
【課題を解決するための手段】
【０００６】
本発明に係る電気掃除機は、掃除機本体と、掃除機本体に対して着脱可能な集塵ユニットと、を備え、掃除機本体は、ケース部と、ケース部の下端よりも下方に延び、端部に吸込口が形成された吸込管と、を有し、集塵ユニットは、掃除機本体に取り付けられた状態でケース部よりも下方に位置し、掃除機本体は、ケース部の天面を下向きにした状態で天面を載置面に載置して自立可能なものである。
【発明の効果】
【０００７】
本発明に係る電気掃除機において、掃除機本体は、ケース部の天面を下向きにした状態で自立可能である。このため、本発明によれば、電気掃除機の掃除機本体を自立させる際に床面を汚すことを防止できる。
【図面の簡単な説明】
【０００８】
【図１】本発明の実施の形態１における電気掃除機の第１の外観図である。
【図２】本発明の実施の形態１における掃除機本体の内部構造を示す断面図である。
【図３】本発明の実施の形態１における電気掃除機の第２の外観図である。
【図４】本発明の実施の形態１における電気掃除機の第３の外観図である。
【図５】本発明の実施の形態１における電気掃除機を自立させた状態を示す側面図である。
【図６】本発明の実施の形態１における電気掃除機を自立させた状態を示す上面図である。
【図７】本発明の実施の形態１における掃除機本体の天面の他の例を示す第１の図である。
【図８】本発明の実施の形態１における掃除機本体の天面の他の例を示す第２の図である。
【図９】本発明の実施の形態１における掃除機本体の天面の他の例を示す第３の図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における電気掃除機の第１の外観図である。図１は、電気掃除機の前面及び右側面を主に示している。
【００１１】
図１に示すように、電気掃除機は、掃除機本体１及び集塵ユニット２を備えている。集塵ユニット２は、掃除機本体１に取り付けられている。集塵ユニット２は、掃除機本体１に対して着脱可能に形成されている。電気掃除機は、例えば、コードレスタイプの充電式電気掃除機である。
【００１２】
掃除機本体１は、ケース部３、把持部４及び吸込管５を有している。把持部４に対して吸込管５側を下方とする。ケース部３の外観は、例えば、円柱形状を呈している。ケース部３の側面は、例えば、曲面状に形成されている。ケース部３は、長手方向における一端部に天面６を有している。把持部４は、ケース部３の長手方向に沿って、ケース部３の側面に設けられている。把持部４は、使用者が清掃時にケース部３と反対側（前側）から把持するためのものである。把持部４は、例えば、ケース部３の側面のうち前側に設けられている。把持部４は、例えば、ケース部３の側面において天面６寄りに配置されている。把持部４は、例えば、ケース部３の下端よりも上方に配置されている。把持部４は、ケース部３の天面６には設けられていない。把持部４は、ケース部３の天面６よりも上方には突き出ていない。吸込管５は、外観上は把持部４の下端に連続するように形成されている。吸込管５は、例えば、ケース部３の側面のうち前側から下向きに延びている。吸込管５は、ケース部３の下端よりも下方に延びている。吸込管５の下端には、吸込口７が形成されている。吸込口７には、アタッチメントを取り付けることが可能である。
【００１３】
ケース部３の天面６は、例えば、平面状に形成されている。天面６は、例えば、ケース部３の側面に対して垂直に形成されている。天面６は、例えば、把持部４及び吸込管５が鉛直方向に沿った状態で掃除機本体１が保持された場合に、水平となるように形成されている。
【００１４】
集塵ユニット２の外観は、例えば、ケース部３と同径の円柱形状を呈している。集塵ユニット２の天面は、集塵ユニット２が掃除機本体１に取り付けられた状態で、ケース部３の下面に対向する。つまり、集塵ユニット２は、掃除機本体１に取り付けられた状態でケース部３よりも下方に位置する。集塵ユニット２は、吸込管５に沿って掃除機本体１に取り付けられる。つまり、吸込管５は、集塵ユニット２が掃除機本体１に取り付けられた状態で、集塵ユニット２の側面に沿っている。吸込管５は、集塵ユニット２が掃除機本体１に取り付けられている場合に、集塵ユニット２の内部に通じる。
【００１５】
集塵ユニット２は、吸込管５を介して塵埃を捕集するための装置である。集塵ユニット２は、例えば、図示しない旋回室を内部に備えたサイクロン式の装置である。なお、集塵ユニット２は、サイクロン式に限らず、例えば、内部に紙パック等を装着する方式のものでもよい。集塵ユニット２は、掃除機本体１から取り外して洗浄することが可能に形成されている。
【００１６】
図２は、実施の形態１における掃除機本体の内部構造を示す断面図である。図２は、集塵ユニット２が取り外された状態の掃除機本体１の前後方向に沿った断面を示している。
【００１７】
図２に示すように、ケース部３の内部には、電動送風機８及び電池９が設けられている。電動送風機８は、電池９と電気的に接続されている。電池９は、例えば、図示しない電源ケーブル等を介して、外部電源と電気的に接続されることで充電される蓄電池等である。電池９の重量は、電動送風機８の重量よりも大きい。
【００１８】
電池９は、ケース部３の内部において、後寄りに配置されている。つまり、電池９は、ケース部３の前後方向における中心から見て、把持部４とは反対側に配置されている。電池９は、電動送風機８よりも上方に配置されている。電池９は、ケース部３の長手方向において、電動送風機８と天面６との間に配置されている。電池９は、ケース部３の長手方向における中心よりも天面６寄りに配置されている。つまり、電池９の重心は、ケース部３の長手方向における中心よりも天面６側の位置にある。このため、掃除機本体１の重心は、ケース部３の長手方向における中心よりも天面６側の位置にある。
【００１９】
電動送風機８は、電池９から供給される電力によって駆動する。電動送風機８は、駆動することで吸引力を発生させる。掃除機本体１に集塵ユニット２が取り付けられている場合、吸込管５及び集塵ユニット２は、電動送風機８が設けられている空間に通じる通風路を形成する。
【００２０】
図３は、実施の形態１における電気掃除機の第２の外観図である。図４は、実施の形態１における電気掃除機の第３の外観図である。図３及び図４は、吸込口７にアタッチメントが取り付けられた状態の電気掃除機を示している。
【００２１】
図３は、吸込口７に対し、アタッチメントとしてノズル１０が取り付けられた状態を示している。この場合、ノズル１０、吸込管５及び集塵ユニット２が、電動送風機８が設けられている空間に通じる通風路を形成する。図３に示す電気掃除機は、ハンディクリーナーとして使用できる。
【００２２】
図４は、吸込口７に対し、アタッチメントとして延長管１１及び吸込具１２が取り付けられた状態を示している。延長管１１の一端部は、吸込管５に接続されている。吸込具１２は、延長管１１の他端部に接続されている。この場合、吸込具１２、延長管１１、吸込管５及び集塵ユニット２が、電動送風機８が設けられている空間に通じる通風路を形成する。図４に示す電気掃除機は、スティッククリーナーとして使用できる。なお、吸込具１２は、延長管１１を介さずに、吸込口７に直接取り付けることも可能である。
【００２３】
電気掃除機の使用者は、掃除機本体１の把持部４を把持して清掃を行う。電動送風機８が駆動されると、通風路に吸引力が作用し、吸込口７から空気とともに塵埃が吸い込まれる。吸い込まれた空気及び塵埃は、吸込管５の内部を通過し、集塵ユニット２の内部に流入する。集塵ユニット２では、空気と塵埃とが分離され、塵埃のみが捕集される。使用者は、必要に応じて、掃除機本体１から集塵ユニット２を取り外し、集塵ユニット２の内部に捕集された塵埃を廃棄する。
【００２４】
電気掃除機は、上下逆さまの状態で床面等に自立させることが可能である。つまり、掃除機本体１は、ケース部３の天面６を下向きにした状態で直立して自立可能に形成されている。掃除機本体１は、例えば、天面６が平面状に形成されていることにより、上下逆さまに自立可能である。
【００２５】
図５は、実施の形態１における電気掃除機を自立させた状態を示す側面図である。図５は、床面に自立させた状態の電気掃除機の右側面を示している。
【００２６】
図５に示す電気掃除機は、天面６が平面状に形成されていることにより、上下逆さまの状態で自立している。図５に示す状態において、電気掃除機の荷重は、天面６により支持されている。図５に示す状態において、電気掃除機又は掃除機本体１の重心は、ケース部３の長手方向における中心よりも床面側の位置にある。
【００２７】
図５に示すように、集塵ユニット２は、操作可能な留め具１３を有している。留め具１３は、ラッチ構造に形成されており、集塵ユニット２が掃除機本体１に取り付けられた状態を保持する。ラッチが解除されるように留め具１３が操作されると、集塵ユニット２が掃除機本体１から取り外し可能な状態となる。
【００２８】
図６は、実施の形態１における電気掃除機を自立させた状態を示す上面図である。図６は、上下逆さまに自立させた状態の電気掃除機を上方から見た様子を示している。
【００２９】
図６には、吸込口７、集塵ユニット２の下面及び留め具１３が示されている。ケース部３は集塵ユニット２と同径の円柱形状に形成されているため、図６において、集塵ユニット２の外形と重なる位置に天面６がある。図６に示すように、電気掃除機の全体的な外形のうち大部分は、天面６の外形の内側の領域に収まる。つまり、電気掃除機又は掃除機本体１の重心は、天面６を下向きにして電気掃除機又は掃除機本体１を自立させた状態において、天面６の形状を鉛直方向に投影した領域の内側に位置する。
【００３０】
実施の形態１において、掃除機本体１は、ケース部３の天面６を下向きにした状態で直立して自立可能である。つまり、掃除機本体１は、吸込口７又はアタッチメントを上に向けた状態で自立可能である。このため、例えば、塵埃が付着している吸込口７又はアタッチメントを床面等に触れさせることなく、掃除機本体１を床面等に置くことができる。また、例えば、吸込管５及びアタッチメントの内部に残留した塵埃が床面等に落下することも防止できる。その結果、本発明によれば、掃除機本体１を自立させる際に床面を汚すことを防止することができる。
【００３１】
実施の形態１において、掃除機本体１の重心は、ケース部３の長手方向における中心よりも天面６側の位置にある。このため、天面６を下向きにした状態で電気掃除機又は掃除機本体１を自立させる際に、安定性を向上させることができる。集塵ユニット２を取り外した状態で掃除機本体１を自立させる場合は、重心の位置がより床面に近くなるため、更に安定性が向上する。また、重心の位置が天面６に近ければ、天面６の面積が小さくとも電気掃除機又は掃除機本体１が自立可能であるため、ケース部３の小型化を図ることができる。
【００３２】
実施の形態１において、掃除機本体１は、電動送風機８及び電池９を有している。電動送風機８は、ケース部３の内部に設けられている。電池９は、ケース部３の内部に設けられており、電動送風機８よりも重量が大きい。電池９は、ケース部３の長手方向において、電動送風機８と天面６との間に配置されている。電池９の重心は、ケース部３の長手方向における中心よりも天面６側の位置にある。このように、重量物が天面６寄りに配置されているため、掃除機本体１の重心は、ケース部３の長手方向における中心よりも天面６側の位置にある。特に、電池９が電動送風機８よりも重いため、天面６を下向きにした状態で天面６を載置面に載置して掃除機本体１を自立させた際の安定性を向上させることができる。
【００３３】
実施の形態１において、掃除機本体１の重心は、天面６を下向きにして掃除機本体１を自立させた状態において、天面６の形状を鉛直方向に投影した領域の内側に位置する。このため、掃除機本体１を自立させた際の安定性を向上させることができる。なお、掃除機本体１を自立させることは、捕集した塵埃を廃棄するために集塵ユニット２を取り外した状態で行われる場合が多い。このため、図６に示すように、留め具１３等の集塵ユニット２の一部が天面６の外形の外側に突き出していても問題はない。また、集塵ユニット２以外の部分が天面６の外形の外側に突き出していても、電動送風機８及び電池９の重量が充分に大きいため、重心の位置が当該領域の外側にずれることはない。
【００３４】
実施の形態１において、掃除機本体１は、ケース部３の側面に設けられた把持部４を有している。つまり、把持部４は、天面６を下向きにした状態で掃除機本体１を自立させている場合でも掴むことが可能な位置に設けられている。このため、例えば、使用者は、掃除機本体１を置いたり持ち上げたりする際に、掴む部位を変える必要がない。また、把持部４は、ケース部３の側面において天面６寄りに配置されている。このため、例えば、使用者は、天面６を下向きにして把持部４を把持した状態において、掃除機本体１を自立させたい場所に狙いをつけ易くなり、楽な動作で掃除機本体１を置くことができる。その結果、使用者の利便性を向上させることができる。
【００３５】
実施の形態１において、天面６は、平面状に形成されている。このため、掃除機本体１は、天面６を下向きにした状態で直立して自立可能である。また、天面６が全体的に床面等に接するため、天面６を下向きにした状態で掃除機本体１を自立させた際の安定性を向上させることができる。
【００３６】
本発明における天面６の形状は、天面６を下向きにした状態で掃除機本体１を自立させることができるのであれば、平面状に限らない。天面６は、例えば、図７に示すように、ケース部３の内側に向かって湾曲した形状であってもよい。天面６は、例えば、図８に示すように、一部を切り欠いて窪みが設けられた形状であってもよい。天面６は、例えば、図９に示すように、複数の同じ高さの突起が設けられた形状であってもよい。つまり、天面６は、凹部を有していてもよい。また、天面６は、凸部を有していてもよい。天面６が凹部を有する場合、天面６を下向きにして掃除機本体１を自立させた状態において、掃除機本体１の荷重は、凹部の縁部により支持される。天面６が凸部を有する場合、天面６を下向きにして掃除機本体１を自立させた状態において、掃除機本体１の荷重は、凸部の先端により支持される。天面６が凹部及び凸部の少なくとも一方を有している場合は、例えば、床面に汚れ又はごみ等の障害物が存在していても、天面６と床面との間の隙間を利用し、当該障害物を避けて掃除機本体１を自立させることができる。
【００３７】
本発明における天面６は、例えば合成樹脂又はゴム等の軟質材で形成されてもよい。この場合、天面６を下向きにした状態で掃除機本体１を自立させる際に床面等が傷付くことを防止できる。
【符号の説明】
【００３８】
１  掃除機本体
２  集塵ユニット
３  ケース部
４  把持部
５  吸込管
６  天面
７  吸込口
８  電動送風機
９  電池
１０  ノズル
１１  延長管
１２  吸込具
１３  留め具
【図１】
2016137132.tif 000003
【図２】
2016137132.tif 000004
【図３】
2016137132.tif 000005
【図４】
2016137132.tif 000006
【図５】
2016137132.tif 000007
【図６】
2016137132.tif 000008
【図７】
2016137132.tif 000009
【図８】
2016137132.tif 000010
【図９】
2016137132.tif 000011